(57)【要約】【課題】コスト安にでき、プライバシーの保護を図れる換気可能な開閉装置を提供する。【解決手段】開閉装置１は、閉移動方向に移動して室外空間と室内空間とを仕切る開閉体３を備える。開閉体３の閉移動方向先端部のみに換気孔８を形成する。開閉体３の閉移動方向先端部に操作体１０を移動可能に取り付ける。操作体１０の本体板部１１に換気調整孔１３を形成する。換気孔８と換気調整孔１３との連通量が、操作体１０の移動操作により調整可能となっている。【選択図】　　　　図１
2004084417.tif 000002
【特許請求の範囲】
【請求項１】
閉移動方向先端部のみに換気孔が形成され、閉移動方向に移動して室外空間と室内空間とを仕切る開閉体と、
この開閉体の閉移動方向先端部に設けられ、前記換気孔による換気量を調整するための操作体と
を備えることを特徴とする開閉装置。
【請求項２】
閉移動方向に移動して室外空間と室内空間とを仕切る開閉体と、
この開閉体の閉移動方向先端部のみに形成された換気孔と、
前記開閉体の閉移動方向先端部に移動可能に取り付けられた操作体と、
この操作体に形成された換気調整孔とを備え、
前記換気孔と前記換気調整孔との連通量が、前記操作体の移動操作により調整可能となっている
ことを特徴とする開閉装置。
【発明の詳細な説明】
【０００１】
【発明の属する技術分野】
本発明は、換気可能な開閉体の構成の簡素化によりコスト安にでき、かつ、プライバシーの保護を図ることができる開閉装置に関する。
【０００２】
【従来の技術】
従来の開閉装置としては、例えば室外空間と室内空間とを仕切る開閉体を構成する各スラットの連結部分にスリット状の換気孔を複数形成したスリットタイプ式の窓シャッタが知られている。
【０００３】
【発明が解決しようとする課題】
しかしながら、上記従来の開閉装置では、スリット状の換気孔が形成された複数のスラットにて開閉体が構成されているため、開閉体の構成が複雑で、コスト高となるばかりでなく、プライバシーの保護も図れないおそれがある。
【０００４】
本発明は、このような点に鑑みなされたもので、換気可能な開閉体の構成の簡素化によりコスト安にでき、かつ、プライバシーの保護を図ることができる開閉装置を提供することを目的とする。
【０００５】
【課題を解決するための手段】
請求項１記載の開閉装置は、閉移動方向先端部のみに換気孔が形成され、閉移動方向に移動して室外空間と室内空間とを仕切る開閉体と、この開閉体の閉移動方向先端部に設けられ、前記換気孔による換気量を調整するための操作体と備えるものである。
【０００６】
そして、従来のスリットタイプ式の窓シャッタ等の開閉装置に比べて、換気可能な開閉体の構成の簡素化によりコスト安となり、かつ、プライバシーの保護が図られ、しかも、操作体の操作により換気孔による換気量を適切に調整することが可能となる。
【０００７】
請求項２記載の開閉装置は、閉移動方向に移動して室外空間と室内空間とを仕切る開閉体と、この開閉体の閉移動方向先端部のみに形成された換気孔と、前記開閉体の閉移動方向先端部に移動可能に取り付けられた操作体と、この操作体に形成された換気調整孔とを備え、前記換気孔と前記換気調整孔との連通量が、前記操作体の移動操作により調整可能となっているものである。
【０００８】
そして、従来のスリットタイプ式の窓シャッタ等の開閉装置に比べて、換気可能な開閉体の構成の簡素化によりコスト安となり、かつ、プライバシーの保護が図られ、しかも、操作体の移動操作により換気孔と換気調整孔との連通量を適切に調整することが可能となる。
【０００９】
【発明の実施の形態】
以下、本発明の開閉装置の一実施の形態の構成を図面を参照して説明する。
【００１０】
図１および図２において、１は開閉装置で、この開閉装置１は、例えば住宅等の建物２に取り付けられたクローズタイプ式の窓シャッタ等である。
【００１１】
この開閉装置１は、閉移動方向（図示Ｃ方向）である下方に移動して室外空間と室内空間とを仕切り、開移動方向（図示Ｏ方向）である上方に移動して室外空間と室内空間との仕切りを解除する上下方向に移動可能、例えば昇降可能なシャッタカーテン等の略面状の開閉体３を備えている。
【００１２】
この開閉体３は、例えば互いに連結された複数のスラット（シャッタスラット）４、下端のスラット４に連結された閉移動方向先端部材である幅木５、この幅木５の端部に取り付けられたロック用のラッチ６、当接部材７等にて構成されている。
【００１３】
そして、開閉体３の閉移動方向先端部である下端部のみに、左右方向に間隔をおいて並んだスリット状の複数の換気孔８が前後方向（例えば開閉体３の厚さ方向）に貫通して切欠きにより形成されている。すなわち、開閉体３の下端部（幅木５の部分）のみに複数の換気孔８が形成され、開閉体３の下端部以外の部分（スラット４の部分）には換気孔８は形成されていない。
【００１４】
また、開閉体３の閉移動方向先端部である下端部には、換気孔８による換気量を調整するための略板状の操作プレート等の操作体１０が左右方向に移動可能、例えばスライド可能に取り付けられている。
【００１５】
この操作体１０は、左右方向に細長い略矩形状の本体板部１１を有している。この本体板部１１は、開閉体３の下端部に全換気孔８に連通して形成された収容室１２内に、左右方向にスライド可能に収容されている。
【００１６】
この本体板部１１には、開閉体３の換気孔８に対応して左右方向に間隔をおいて並んだスリット状の複数の換気調整孔１３が板厚方向である前後方向に貫通して形成されている。なお、換気孔８と換気調整孔１３とは、略同一形状のもので、例えば正面視で横長の楕円状である。
【００１７】
また、この本体板部１１の左右方向略中央部には、室内空間側から操作可能な突状の操作部である操作摘み部１４が一体的に設けられている。
【００１８】
そして、操作摘み部１４を摘んでの操作体１０のスライド操作により、換気孔８と換気調整孔１３との連通量が調整可能、すなわち換気孔８による換気量が調整可能となっている。
【００１９】
また一方、開閉装置１は、図２に示されるように、開閉体３の昇降時にこの開閉体３を案内する上下方向に長手状の左右一対のガイドレール体２１を備えている。両ガイドレール２１の上端部間にわたって略箱状の収容ケース体２２が配置されている。両ガイドレール２１の下端部間にわたって下枠体２３が配置されている。また、収容ケース体２２内には、開閉体３を巻戻し可能に巻取る巻体２４が回転可能に配置されている。
【００２０】
次に、上記一実施の形態の作用等を説明する。
【００２１】
開閉装置１の開閉体３は、巻体２４の巻戻しによりガイドレール２１にて案内されながら下降して略平面状の閉状態となり、建物２の室外空間と室内空間とを仕切る。すなわち、開閉体３は、ガイドレール２１に沿って下降して閉状態となり、室外空間と室内空間との間の所定の開口部を閉鎖する。
【００２２】
そして、この室外空間と室内空間とが閉状態の開閉体３にて仕切られた状態時において、使用者は、室内空間から操作摘み部１４を摘んで操作体１０をスライドさせることにより、換気孔８と換気調整孔１３との連通量を調整でき、例えば室外空間からの風を室内空間に取り入れることができる。また、例えば換気孔８と換気調整孔１３との連通量をゼロにすることで、換気不能状態にすることもできる。
【００２３】
なお、開閉体３を巻体２４の巻取りによりガイドレール２１に沿って上昇させることで、室外空間と室内空間との間の所定の開口部を開口させることができる。
【００２４】
そして、このような開閉装置１によれば、閉移動方向先端部である下端部のみに換気孔８を形成された開閉体３と、この開閉体３の下端部に移動可能に設けられた換気量調整用の操作体１０とを備える構成であるから、従来のスリットタイプ式の窓シャッタ等の開閉装置に比べて、操作体１０の操作で換気可能な開閉体３の構成の簡素化によりコスト安にでき、かつ、開閉体３の下端部のみでの開口でありプライバシーの保護を適切に図ることができ、しかも、操作体１０の操作により換気孔８の開口量つまり換気量を簡単かつ適切に調整することができる。
【００２５】
なお、開閉装置１は、換気孔８を開閉体３の閉移動方向先端部に切欠きにより開口形成したものには限定されず、例えば、図示しないが、室内空間への雨水等の入り込みの防止のために、換気孔を開閉体の閉移動方向先端部に室外空間側への切起しにより形成してその下面開口状の切起し部分にて覆うようにしてもよい。
【００２６】
また、開閉装置１は、窓シャッタ等のシャッタ装置には限定されず、例えば図示しないが、その他のシャッタ装置、雨戸、引戸等のドア装置、ブラインド装置、スクリーン装置等、或いは、これら装置のうちの同種または異種を複数並設したものでもよい。
【００２７】
さらに、開閉体３は、閉移動方向を下方としかつ開移動方向を上方とする上下方向に移動可能なものには限定されず、例えば左右方向に移動可能なもの、床面等に沿って水平方向に移動可能なもの、床面等に対して傾斜した傾斜方向に移動可能なもの、或いは、これらの複合した方向に移動可能な構成としてもよい。
【００２８】
【発明の効果】
請求項１の発明によれば、従来のスリットタイプ式の窓シャッタ等の開閉装置に比べて、換気可能な開閉体の構成の簡素化によりコスト安にでき、かつ、プライバシーの保護を図ることができ、しかも、操作体の操作により換気孔による換気量を適切に調整することができる。
【００２９】
請求項２の発明によれば、従来のスリットタイプ式の窓シャッタ等の開閉装置に比べて、換気可能な開閉体の構成の簡素化によりコスト安にでき、かつ、プライバシーの保護を図ることができ、しかも、操作体の移動操作により換気孔と換気調整孔との連通量を適切に調整することができる。
【図面の簡単な説明】
【図１】本発明の一実施の形態の開閉装置の閉移動方向先端部を示す斜視図である。
【図２】同上開閉装置の縦断面図である。
【符号の説明】
１　　開閉装置
３　　開閉体
８　　換気孔
１０　　操作体
１３　　換気調整孔
【図１】
2004084417.tif 000003
【図２】
2004084417.tif 000004